(57)【要約】【課題】  部品コストや組み付けコストが安価で、冷却ファンの防振・防音効果が向上する冷却ファンの固定装置を提供する。【解決手段】  筒状ダクト３３内に、冷却ファン３１の一方の面を嵌め込み位置で当て止めるストッパー部３３ｂを形成し、ダクト３３の壁部３３ａの冷却ファン嵌め込み側に複数個の弾性切り込み片部３３ｄを形成して、一部の弾性切り込み片部３３ｄに、冷却ファン３１の他方の面を係止可能な係止爪部３３ｅを形成するとともに、残部の弾性切り込み片部３３ｄに、冷却ファン３１の一方の面と他方の面との間の面を側方から内方に押さえ可能な突起部３３ｆを形成したから、ダクト３３に対して冷却ファン３１ががたつか無くなるので、防振・防音効果が向上する。【選択図】  図２
2006301408.tif 000002
【特許請求の範囲】
【請求項１】
筒状のダクト内に冷却ファンを嵌め込んで固定する冷却ファンの固定装置であって、前記ダクト内に、冷却ファンの一方の面を嵌め込み位置で当て止めるストッパー部を形成し、前記ダクトの壁部の冷却ファン嵌め込み側に複数個の弾性切り込み片部を形成して、一部の弾性切り込み片部に、冷却ファンの他方の面を係止可能な係止爪部を形成するとともに、残部の弾性切り込み片部に、冷却ファンの一方の面と他方の面との間の面を側方から内方に押さえ可能な突起部を形成したことを特徴とする冷却ファンの固定装置。
【請求項２】
四角筒状のダクト内に冷却ファンを嵌め込んで固定する冷却ファンの固定装置であって、前記ダクト内に、冷却ファンの一方の面を嵌め込み位置で当て止めるストッパー部を形成し、前記ダクトの四辺壁部の冷却ファン嵌め込み側に複数個の弾性切り込み片部を形成して、一部の弾性切り込み片部に、冷却ファンの他方の面を係止可能な係止爪部を形成するとともに、残部の弾性切り込み片部に、冷却ファンの一方の面と他方の面との間の面を四方向から内方に押さえ可能な突起部を形成したことを特徴とする請求項１に記載の冷却ファンの固定装置。
【請求項３】
前記突起部には、前記冷却ファンの側縁部をストッパー部の方向に押さえ込み可能な勾配を形成していることを特徴とする請求項１または２に記載の冷却ファンの固定装置。
【請求項４】
前記冷却ファンは、画像形成装置に設けられるものであることを特徴とする請求項１〜３のいずれか一項に記載の冷却ファンの固定装置。
【発明の詳細な説明】
【技術分野】
【０００１】
本発明は、冷却ファンの固定装置に関する。
【背景技術】
【０００２】
従来、冷却ファンの固定装置としては、ゴム等の筒状弾性体（ダクト）内に、冷却ファンを嵌め込んで、ねじで固定するものがある（特許文献１参照）。
【０００３】
この技術では、筒状弾性体により、冷却ファンのがたつきに起因する防振・防音効果の向上を図ったものである。
【特許文献１】特開２０００−１７２０３１号公報
【発明の開示】
【発明が解決しようとする課題】
【０００４】
しかしながら、特許文献１では、ダクトとして、ゴム等の筒状弾性体を用いる必要があるうえに、冷却ファンは、ねじで筒状弾性体に固定する必要があるから、部品コストや組み付けコストが高くなるという問題があった。
【０００５】
本発明は、前記問題を解消するためになされたもので、部品コストや組み付けコストが安価で、冷却ファンの防振・防音効果が向上する冷却ファンの固定装置を提供することを目的とするものである。
【課題を解決するための手段】
【０００６】
前記課題を解決するために、本発明の請求項１は、筒状のダクト内に冷却ファンを嵌め込んで固定する冷却ファンの固定装置であって、前記ダクト内に、冷却ファンの一方の面を嵌め込み位置で当て止めるストッパー部を形成し、前記ダクトの壁部の冷却ファン嵌め込み側に複数個の弾性切り込み片部を形成して、一部の弾性切り込み片部に、冷却ファンの他方の面を係止可能な係止爪部を形成するとともに、残部の弾性切り込み片部に、冷却ファンの一方の面と他方の面との間の面を側方から内方に押さえ可能な突起部を形成したことを特徴とする冷却ファンの固定装置を提供するものである。
【０００７】
本発明の請求項２は、四角筒状のダクト内に冷却ファンを嵌め込んで固定する冷却ファンの固定装置であって、前記ダクト内に、冷却ファンの一方の面を嵌め込み位置で当て止めるストッパー部を形成し、前記ダクトの四辺壁部の冷却ファン嵌め込み側に複数個の弾性切り込み片部を形成して、一部の弾性切り込み片部に、冷却ファンの他方の面を係止可能な係止爪部を形成するとともに、残部の弾性切り込み片部に、冷却ファンの一方の面と他方の面との間の面を四方向から内方に押さえ可能な突起部を形成したことを特徴とするものである。
【０００８】
本発明の請求項３は、前記突起部には、前記冷却ファンの側縁部をストッパー部の方向に押さえ込み可能な勾配を形成していることを特徴とするものである。
【０００９】
本発明の請求項４は、前記冷却ファンは、画像形成装置に設けられるものであることを特徴とするものである。
【発明の効果】
【００１０】
本発明の請求項１によれば、ダクト内に冷却ファンを嵌め込むと、冷却ファンの一方の面がストッパー部で当て止められ、冷却ファンの他方の面が一部の弾性切り込み片部の係止爪部で係止されるとともに、残部の弾性切り込み片部の突起部で冷却ファンの一方の面と他方の面との間の面が内方に押さえられるから、ダクトに対して冷却ファンががたつか無くなるので、冷却ファンの防振・防音効果が向上するようになる。また、ダクトとして、ゴム等の筒状弾性体を用いる必要が無く、安価な合成樹脂でダクトを成形できるうえに、冷却ファンは、嵌め込み操作に伴って、ダクトにワンタッチで係止できるから、部品コストや組み付けコストが安価になる。
【００１１】
本発明の請求項２によれば、ダクト内に冷却ファンを嵌め込むと、冷却ファンの一方の面がストッパー部で当て止められ、冷却ファンの他方の面が一部の弾性切り込み片部の係止爪部で係止されるとともに、残部の弾性切り込み片部の突起部で冷却ファンの一方の面と他方の面との間の面が四方向から内方に押さえられるから、ダクトに対して冷却ファンががたつか無くなるので、冷却ファンの防振・防音効果が向上するようになる。また、ダクトとして、ゴム等の筒状弾性体を用いる必要が無く、安価な合成樹脂でダクトを成形できるうえに、冷却ファンは、嵌め込み操作に伴って、ダクトにワンタッチで係止できるから、部品コストや組み付けコストが安価になる。
【００１２】
本発明の請求項３によれば、突起部の勾配により、冷却ファンの側縁部がストッパー部の方向に常に押さえ込まれるので、ダクトに対して冷却ファンがよりがたつか無くなる。
【００１３】
本発明の請求項４によれば、静穏性が要求される画像形成装置の冷却ファンとして、好適に採用することができる。
【発明を実施するための最良の形態】
【００１４】
以下、本発明を実施するための最良の形態について、図面を参照しながら詳細に説明する。
【００１５】
図１に示すように、このプリンタ（画像形成装置の一例）１は、箱状のプリンタ本体２内において、帯電装置３で図中のＡ方向に回転する感光体ドラム４の周面が一様に帯電され、画像データに基づくレーザ光ＢがＬＳＵ等の露光部５によって、感光体ドラム４の周面に照射されて静電潜像が形成され、感光体ドラム４の周面に形成された静電潜像に現像装置６からトナーが供給されることによって、感光体ドラム４の周面にトナー像が形成されるようになっている。
【００１６】
用紙Ｐは、給紙機構８から感光体ドラム４に向けて搬送され、転写ローラ（転写装置）９により感光体ドラム４表面のトナー像が用紙Ｐの表面（転写面）に転写されるようになっている。転写後の感光体ドラム４に残留したトナーは、クリーニングローラ１０を備えたクリーニング装置１１によって除去され、その後の感光体ドラム４の残留電荷は除電装置１２によって除去されるようになっている。
【００１７】
そして、分離装置１３で感光体ドラム４から分離された用紙Ｐは定着ローラ対（定着装置）１４に搬送され、ここでトナー像が定着された用紙Ｐは、そのまま（或いは、図略のスイッチバック部で反転されて両面プリントされた後に）、排出ローラ１５により排出部１６に排出されるようになっている。
【００１８】
前記給紙機構８は、プリンタ本体２に着脱自在に取り付けられ、複数の用紙Ｐを積層させた状態で収納できる給紙カセット２０を備えている。この給紙カセット２０には、収納されている用紙Ｐを取り出すためのピックアップローラ２１と、このピックアップローラ２１で取り出された用紙Ｐを１枚ずつ搬送路に送り出す（捌く）ための給紙ローラ２２とが設けられており、その搬送路の感光体ドラム４の上流側（図中の右側）には、給紙ローラ２２より送り出されてくる用紙Ｐを待機させるためのレジストローラ対２３が設けられている。
【００１９】
前記搬送路は、給紙カセット２０から感光体ドラム４に用紙Ｐを搬送するための第１搬送路２５と、感光体ドラム４から定着ローラ対１４に用紙Ｐを搬送するための第２搬送路２６と、定着ローラ対１４から排出ローラ対１５まで用紙Ｐを搬送するための第３搬送路２７とを備えている。
【００２０】
一方、前記定着ローラ対（定着装置）１４の側方に位置するプリンタ本体２の金属製フレーム３０（図２参照）には、二点鎖線で示すように、冷却ファン３１が取付けられている。なお、具体的に図示しないが、前記金属製フレーム３０には、外気吸い込み用開口が形成されて、冷却ファン３１により、外気をプリンタ本体２内に吸い込むようになっている。
【００２１】
前記定着ローラ対（定着装置）１４は発熱体であり、この定着ローラ対（定着装置）１４の近辺には、同様に発熱体であるポリゴンモータ（不図示）も配置されていて、前記冷却ファン３１の吸い込み風でこれらの部品を冷却するようになる。
【００２２】
前記冷却ファン３１は、図３（ａ）に示すように、四角形状のファン本体３１ａの中央部に、電動モータで駆動されるファンが設けられて、電動モータには、コネクタ３１ｂからリード線３１ｃを介して給電されるようになる。
【００２３】
前記冷却ファン３１は、図３（ｂ）に示すように、合成樹脂製のダクト３３内に嵌め込んで固定されている。
【００２４】
前記ダクト３３は、図４（ａ）（ｂ）に示すように、四角筒状に形成されて、ダクト３３内の四辺壁部３３ａの四隅には、冷却ファン３１のファン本体３１ａの下面（一方の面）の四隅を嵌め込み位置で当て止めるストッパー部３３ｂが形成されている。
【００２５】
前記ダクト３３の四辺壁部３３ａのそれぞれには、冷却ファン３１の嵌め込み側に複数個（本例では４個）のスリット３３ｃが形成されて、このスリット３３ｃの間に、複数個（本例では３個）の弾性切り込み片部３３ｄが形成されている。この各弾性切り込み片部３３ｄは、スリット３３ｃによって内外方に弾性的に撓み可能になっている。
【００２６】
図５（ａ）にも示すように、前記四辺壁部３３ａの各弾性切り込み片部３３ｄの内、中央（一部）に位置する弾性切り込み片部３３ｄには、前記ダクト３３のストッパー部３３ｂで下面（一方の面）を当て止められたファン本体３１ａの上面（他方の面）を係止可能な係止爪部３３ｅが形成されている。
【００２７】
また、前記四辺壁部３３ａの各弾性切り込み片部３３ｄの内、中央の両側（残部）に位置する弾性切り込み片部３３ｄには、前記冷却ファン３１のファン本体３１ａの側面（一方の面と他方の面との間の面）を四方向から内方に押さえ可能な突起部３３ｆが形成されている。
【００２８】
この突起部３３ｆには、図５（ｂ）に詳細にすように、冷却ファン３１のファン本体３１ａの上側縁部３１ｅをストッパー部３３ｂの方向に押さえ込み可能な勾配３３ｇが形成されている。
【００２９】
前記ダクト３３の外面の左右位置の４隅には、ダクト３３の底部から前記金属製フレーム３０の板厚分だけ後方に突出して側方に突出するＬ字状の差し込み爪３３ｊがそれぞれ形成されるとともに、左右位置の差し込み３３ｊの間には、ダクト３３の底部から後方に突出するフック爪３３ｋがそれぞれ形成されている。
【００３０】
図６（ａ）に示すように、前記金属製フレーム３０には、前記ダクト３３の各差し込み爪３３ｊに対応して、各差し込み爪３３ｊを前方から嵌め合わせ可能な窓３０ａと、この窓部３０ａから下方に延在するスリット部３０ｂとが形成されている。
【００３１】
また、前記ダクト３３の各フック爪３３ｋに対応して、各フック爪３３ｋを係止するフック穴３０ｃが形成されている。
【００３２】
そして、図６（ｂ）に示すように、ダクト３３の各差し込み爪３３ｊを前方から金属製フレーム３０の窓部３０ａに嵌め込み、スリット部３０ｂに沿って下方にスライドさせると、各差し込み爪３３ｊがスリット部３０ｂの下縁に当接して、ダクト３３が前後方向、左右方向および下方向に移動しないように位置規制されるようになる。
【００３３】
同時に各フック爪３３ｋがフック穴３０ｃに係止されて、ダクト３３が上方向に抜けないように係止されるようになる。
【００３４】
このように、ダクト３３は、金属製フレーム３０にワンタッチで固定できるようになる。
【００３５】
前記のように、画像形成装置の冷却ファンの固定装置であれば、ダクト３３に冷却ファン３１を嵌め込むと、冷却ファン３１のファン本体３１ａの下面がストッパー部３３ｂで当て止められ、冷却ファン３１のファン本体３１ａの上面が中央の弾性切り込み片部３３ｄの係止爪部３３ｅで係止されるようになる。同時に、両側の弾性切り込み片部３３ｄの突起部３３ｆで冷却ファン３１のファン本体３１ａの側面が四方向から内方に押さえられるようになる。
【００３６】
これにより、ダクト３３に対して冷却ファン３１ががたつか無くなるので、冷却ファン３１の防振・防音効果が向上するようになる。
【００３７】
また、ダクト３３として、ゴム等の筒状弾性体を用いる必要が無く、安価なプラスチックでダクト３３を成形できるうえに、冷却ファン３１は、嵌め込み操作に伴って、ダクト３３にワンタッチで係止できるから、部品コストや組み付けコストが安価になる。
【００３８】
さらに、弾性切り込み片部３３ｄの突起部３３ｆには、冷却ファン３１のファン本体３１ａの上側縁部３１ｅをストッパー部３３ｂの方向に押さえ込み可能な勾配３３ｇを形成したから、冷却ファン３１の上側縁部３１ｅがストッパー部３３ｂの方向に常に押さえ込まれるので、ダクト３３に対して冷却ファン３１がよりがたつか無くなる。
【００３９】
前記実施形態では、ダクト３３の四辺壁部３３ａに、複数個（本例では３個）の弾性切り込み片部３３ｄをそれぞれ形成したものであったが、図７の示すように、四辺壁部３３ａに、１個の弾性切り込み片部３３ｄをそれぞれ形成して、各１個の弾性切り込み片部３３ｄに、係止爪部３３ｅと突起部３３ｆとをそれぞれ形成することもできる。
【００４０】
前記実施形態では、四角筒状のダクト３３に冷却ファン３１を嵌め込んで固定するものであったが、ダクト３３は、四角筒状以外の多角筒状であっても、円筒状であっても構わない。なお、冷却ファン３１のファン本体３１ａは、ダクト３３の内形状に合わせた外枠形状に形成する。
【００４１】
前記実施形態は、画像形成装置に設けられる冷却ファン３１の固定装置を例にとったが、画像形成装置以外にも本発明が適用できることは言うまでもない。
【図面の簡単な説明】
【００４２】
【図１】本発明の実施形態に係る画像形成装置の略画的側面図である。
【図２】冷却ファンを取付けた金属製フレームの斜視図である。
【図３】（ａ）は冷却ファンの斜視図、（ｂ）は冷却ファンを組み込んだダクトの斜視図である。
【図４】ダクトであり、（ａ）は斜視図、（ｂ）は平面図である。
【図５】（ａ）はダクトの断面図、（ｂ）はダクトと冷却ファンの要部断面図である。
【図６】（ａ）（ｂ）は、ダクトを金属製フレームに取付ける要領を示す斜視図である。
【図７】変形例のダクトの斜視図である。
【符号の説明】
【００４３】
１      プリンタ（画像形成装置）
２      プリンタ本体
３０    金属フレーム
３１    冷却ファン
３３    ダクト
３３ａ  四辺壁部
３３ｂ  ストッパー部
３３ｃ  スリット
３３ｄ  弾性切り込み片部
３３ｅ  係止爪部
３３ｆ  突起部
３３ｇ  勾配
【図１】
2006301408.tif 000003
【図２】
2006301408.tif 000004
【図３】
2006301408.tif 000005
【図４】
2006301408.tif 000006
【図５】
2006301408.tif 000007
【図６】
2006301408.tif 000008
【図７】
2006301408.tif 000009